(57)【特許請求の範囲】
【請求項１】
チェアーの台座に設けられた少なくとも１つのロッド体上に被せられ、前記ロッド体に対して回転可能であり、且つ前記ロッド体の軸方向に対して移動することがなく、位置決め部が設けられた位置決め管と、
前記位置決め管に沿って移動することができるスライドベースであって、片側に前記チェアーのシートの側方と連動するよう結合する接合部を備え、前記接合部の片側にスリーブ部を備え、前記スリーブ部には前記位置決め管を嵌合可能なスリーブ孔が設けられ、前記スリーブ孔には係止部が設けられ、さらに前記位置決め管を前記ロッド体上で回転させて前記位置決め部と前記係止部とが接合していない時に前記位置決め管に沿って移動することができ、また前記位置決め管を前記ロッド体上で回転させて前記位置決め部と前記係止部とが接合することで位置がロックされるスライドベースと、
を含み、
前記位置決め部は前記位置決め管から外側へ突出し且つ軸方向に延在しており、
前記スライドベースの前記スリーブ孔には、前記位置決め管の前記位置決め部と対応する位置に凹部が設けられており、前記係止部は、前記スリーブ孔内の前記凹部と対応する片側の位置に設けられており、
前記位置決め管の前記位置決め部には軸方向に沿って第１凸歯群が設けられ、前記スライドベースの前記係止部は、前記第１凸歯群と噛み合わせることができる第２凸歯群を備えており、
前記位置決め管を前記ロッド体上で回転させ、且つ前記位置決め部を前記係止部と接合させ、前記第１凸歯群を前記第２凸歯群と接合させることができることを特徴とするチェアーシートのスライドロック装置。
【請求項２】
前記第１凸歯群は、複数の連続的に配列された第１凸歯を備え、前記第１凸歯の端部の方向は前記位置決め管の軸方向に垂直な方向とほぼ対応しており、
前記第２凸歯群は、前記第１凸歯と噛み合わせることができる複数の第２凸歯を備えていることを特徴とする、請求項１に記載のチェアーシートのスライドロック装置。
【請求項３】
前記位置決め管の外側には半径方向に突出したハンドルが設けられていることを特徴とする、請求項１に記載のチェアーシートのスライドロック装置。
【発明の詳細な説明】
【技術分野】
【０００１】
本発明は、チェアーシートのスライドロック装置に関し、それは主にシートの位置をロックすることができる装置に関するものである。
【背景技術】
【０００２】
着座とリクライニングの調整が可能な従来のリクライニングチェアは、台座上にロッド体が設置され、ロッド体にはロッド体上での移動動作が可能なロック機構が環装される。ロック機構はシートと接合することで、シートの移動を調整可能にし、且つ対応してロック機構がロッド体に沿って移動できるようにし、設定位置まで移動してから再びロック機構をロッド体と固定させてシートの位置を決めるものが一般的である。通常はシートが移動すると背もたれが連動し、通常の着座角度か又はリクライニング角度に調整して使用することが可能である。
【０００３】
しかし、従来のロック機構の多くはノブでロッド体を締結する方式で固定するものであり、その締結方式には操作の不便さや締結していない状態において位置決めが不確実であるという欠点があった。また、ノブを緩めて調整する過程においては、後傾角度の背もたれがぐらつく状態のため、背もたれが受ける重力が大きくなって最大角度まで後傾しやすく、角度調整が不便であるという欠点があった。
【０００４】
上述の欠点を改善するため、例えば特許文献１のロック装置は、主にクランプ座、位置決めブロック、調整ロッド、結合機構を備えている。クランプ座とシートとは連動し、またチェアーロッドをスリーブ接続可能なスリーブ孔が設けられ、また、相対して開いたり挟んだりすることができる第１、第２台座を備えている。位置決めブロックはクランプ座上に設けられる。調整ロッドは結合機構によって位置決めブロックの片側に結合させて設けられ、且つ位置決めブロックと接合される位置決め部を備えている。調整ロッドを回動させて第１、第２台座を開くことができ、且つシートがクランプ座を連動してロッド上をスライドすることができる。また、所定位置まで移動したときに調整ロッドを回動させることで第１、第２台座がロッド体を挟むことができ、且つクランプ座とシートの位置をロックすることができる。
【０００５】
上述の構造は、調整ロッドを回動させることで第１、第２台座が開くか又はロッド体を挟んで摩擦方式によりロックする動作を可能にしており、操作が簡便になる効果を有しているものの、シートとクランプの移動に応じて調整ロッドも移動してしまい、使用者が慣れた手の位置で調整ロッドを制御できないという事態が生じる。その上、クランプがやや前方に移動してリクライニング姿勢が形成された場合、使用者は起き上がらなければ前方に移動した調整ロッドを手で握って調整することができないため、調整が不便であるという欠点があった。
【先行技術文献】
【特許文献】
【０００６】
【特許文献１】米国特許第ＵＳ７７３５９２５号明細書
【発明の概要】
【発明が解決しようとする課題】
【０００７】
本本発明は、シート位置をロックすることができ、且つ良好な操作性・利便性及びロックの安定性を有することができるチェアーシートのスライドロック装置を提供することを目的としている。
【課題を解決するための手段】
【０００８】
本発明のスライドロック装置は、位置決め管と、位置決め管に沿って移動することができるスライドベースと、を含む。
位置決め管は、チェアーの台座に設けられた少なくとも１つのロッド体上に被せられ、ロッド体に対して回転可能であり、且つロッド体の軸方向に対して移動することがなく、また位置決め管には位置決め部が設けられている。
【０００９】
スライドベースは、片側にチェアーのシートの側方と連動するよう結合する接合部を備え、接合部の片側にスリーブ部を備える。スリーブ部には位置決め管を嵌合可能なスリーブ孔が設けられ、スリーブ孔には係止部が設けられている。
【００１０】
さらにスライドベースは、位置決め管をロッド体上で回転させて位置決め部と係止部とが接合していない時に位置決め管に沿って移動することができ、また位置決め管をロッド体上で回転させて位置決め部と係止部とが接合することで位置がロックされる。
【００１１】
さらに、位置決め部は位置決め管から外側へ突出し且つ軸方向に延在しており、またスライドベースのスリーブ孔には、位置決め管の位置決め部と対応する位置に凹部が設けられている。また係止部はスリーブ孔内の凹部と対応する片側の位置に設けられている。
さらに、位置決め管の位置決め部には軸方向に沿って第１凸歯群が設けられる。スライドベースの係止部は、第１凸歯群と噛み合わせることができる第２凸歯群を備えている。
位置決め管をロッド体上で回転させ、且つ位置決め部を係止部と接合させ、第１凸歯群を第２凸歯群と接合させることができる。
【００１２】
本発明は、位置決め管の位置決め部をスライドベースの凹部に位置させることでシートの位置を調整することができ、また位置決め管を回転させることで位置決め部と係止部とを摩擦接合によりロックすることができる。それにより操作が簡便になる効果を有することができるほか、本発明のシートは背もたれと枢設可能であり、且つシートの移動と同時に背もたれの角度を調整することができる。
【００１３】
好ましくは、第１凸歯群は、複数の連続的に配列された第１凸歯を備え、第１凸歯の端部の方向は位置決め管の軸方向に垂直な方向とほぼ対応している。また第２凸歯群は、第１凸歯と噛み合わせることができる複数の第２凸歯を備えている。
【００１４】
好ましくは、位置決め管の外側には半径方向に突出したハンドルが設けられている。
【００１５】
本発明は、ハンドルを制御して位置決め管を回転させ、位置決め部と係止部の接合時に第１凸歯群の第１凸歯と第２凸歯群の第２凸歯を接合させることができ、良好な摩擦係合方式は位置決めを安定させるうえでより優れた効果を有しており、且つスライドベース、シートの位置及び背凭れの角度を確実にロックすることができる効果を有している。
【発明の効果】
【００１６】
本発明は、調整動作の際にスライドベースを移動させることができるが、ハンドルはそのまま固定位置にあるため、使用者は慣れた操作でハンドルを握って容易に操作することができ、操作が便利になる効果を有することができる。
【図面の簡単な説明】
【００１７】
【図１】本発明のチェアーの概略図である。
【図２】本発明のロック装置の分解図である。
【図３】本発明のロックされていない状態の概略図である。
【図４】本発明のシート位置を調整する概略図である。
【図５】本発明のロック状態の概略図である。
【図６】本発明のロック状態の平面概略図である。
【発明を実施するための形態】
【実施例】
【００１８】
図１〜図３を参照する。本発明は台座１、シート２、背もたれ３、ロック装置４を備える。、台座１は相対して直立する２つの支持板１１を備え、２つの支持板１１の上方にはアームレストフレーム１２を備え、また支持板１１とアームレストフレーム１２の間にロッド体１３が設けられる。また背もたれ３は台座１及びシート２と枢設し、且つシート３はシート２に対応して移動し、後傾角度を変えることができる。
【００１９】
ロック装置４は少なくとも１つのロッド体１３上に設けられ、位置決め管４１、スライドベース４２を含む。位置決め管４１はロッド体１３上に被せられ、ロッド体１３に対して回転可能であり、且つロッド体１３の軸方向に対して移動することがない。また、位置決め管４１の外側には軸方向に沿って延在する位置決め部４１１が突出して設けられ、位置決め部４１１には軸方向に沿って第１凸歯群４１２が設けられる。第１凸歯群４１２は、複数の連続的に配列され且つ端部の方向が位置決め管４１の軸方向に垂直な方向とほぼ対応する第１凸歯４１３を備える。また、位置決め管４１の外側には半径方向に突出したハンドル４１４が設けられている。
【００２０】
スライドベース４２の片側はシート２の側方と連動するよう結合する接合部４２１を備える。接合部４２１の片側はスリーブ部４２２を備え、スリーブ部４２２には位置決め管４１を嵌合可能なスリーブ孔４２３が設けられる。スリーブ孔４２３には位置決め管４１の位置決め部４１１と対応する位置に凹部４２４が設けられる。また、スリーブ孔４２３内の凹部４２４と対応する片側には良好な滑り止め用材質で製造した係止部４２５が設けられる。係止部４２５は第１凸歯群４１２と噛み合わせることができる第２凸歯群４２６を備え、第２凸歯群４２６は第１凸歯群４１２と噛み合わせることができる複数の第２凸歯４２７を備えている。
【００２１】
図３、図４を参照する。本発明は、ハンドル４１４を制御して位置決め管４１の位置決め部４１１をスライドベース４２の凹部４２４と対応させると、スライドベース４２を位置決め管４１の軸方向に沿って移動させることができ、且つシート２の位置及び背もたれ３の後傾角度を自由に調整することができる。
【００２２】
図４〜図６を参照する。本発明は、調整後にハンドル４１４を制御して位置決め管４１をロッド体１３上で回転させ、且つ位置決め部４１１をスリーブ孔４２３の凹部４２４からずらして係止部４２５と接合させ、スライドベース４２の調整後の位置に対応する第１凸歯群４１２の第１凸歯４１３を第２凸歯群４２６の第２凸歯４２７と接合させることができる。従来の摩擦係合方式よりも更に良好な位置決めの安定性を備えさせることができ、且つスライドベース４２、シート２の位置及び背凭れ３の角度を確実にロックする効果を有することができる。
【００２３】
本発明は、調整動作の際にスライドベース４２を異なる位置に移動させることができる。ハンドル４１４はそのまま固定位置にあるため、使用者は慣れた操作でハンドル４１４を握って容易に操作することができる。本実施例のハンドル４１４は背もたれ３に比較的近い位置にあり、それにより背もたれ３が比較的大きな後傾角度で使用者にリクライニングを提供する場合でも、使用者はそのままの手の長さでハンドル４１４を握って操作することができ、操作が便利になる優れた効果を有することができる。
【００２４】
また本発明は、位置決め管に第１凸歯群を設けず、またスライドベースに第２凸歯群を設けない場合でも、位置決め部と係合部を摩擦方式でロックすることが可能である。この構造でもハンドルの位置を固定して操作し易くする効果を持たせることが可能である。
【００２５】
本発明は、上述によって良好なロックの安定性及び操作が便利になる効果を有することができ、具体的な実施例についての説明を記述したが、本発明の技術範囲を逸脱せずに多くの修正及び変更を行うことが可能であり、本発明の範囲は特許請求の範囲によって定められる。
【符号の説明】
【００２６】
１      台座
１１    支持板
１２    アームレストフレーム
１３    ロッド体
２      シート
３      背もたれ
４      ロック装置
４１    位置決め管
４１１  位置決め部
４１２  第１凸歯群
４１３  第１凸歯
４１４  ハンドル
４２    スライドベース
４２１  接合部
４２２  スリーブ部
４２３  スリーブ孔
４２４  凹部
４２５  係止部
４２６  第２凸歯群
４２７  第２凸歯
【図１】
0006936507.tif 000002
【図２】
0006936507.tif 000003
【図３】
0006936507.tif 000004
【図４】
0006936507.tif 000005
【図５】
0006936507.tif 000006
【図６】
0006936507.tif 000007